(57)【特許請求の範囲】
【請求項１】
公衆回線に接続するベース端末と、該ベース端末との間で無線通信を行う無線端末とを含む通信システムであって、
前記無線端末は、
メモリ領域と、
前記メモリ領域において電子データを生成する生成手段と、
前記生成手段による前記電子データの生成の開始を指示する指示手段と、
前記生成手段による前記電子データの生成が完了したか否かを示す情報を管理する管理手段と、
前記情報が前記電子データの生成完了を示している状態で、前記指示手段により前記電子データの生成開始が指示された場合には、前記メモリ領域をクリアして前記電子データの生成を開始させ、前記情報が前記電子データの生成完了を示していない状態で、前記指示手段により前記電子データの生成開始が指示された場合には、前記メモリ領域をクリアせずに、前記電子データの生成を再開させる制御手段と、
を有し、
前記制御手段は、前記情報が前記電子データの生成完了を示していない状態で、前記生成手段による前記電子データの生成中に前記ベース端末から前記無線端末に割込み信号が送信された場合には、前記情報を、前記電子データの生成が完了していないことを示す内容に維持した状態で前記生成手段による前記電子データの生成を終了させることを特徴とする通信システム。
【請求項２】
前記無線端末は、前記生成手段で生成した前記電子データを前記ベース端末に対して送信する送信手段を更に有し、
前記ベース端末は、前記送信手段により送信された前記電子データを保存する保存手段を有し、
前記管理手段は、前記保存手段に前記電子データが保存されたと判断した時点で、前記情報を、前記電子データの生成完了を示す内容に更新することを特徴とする請求項１に記載の通信システム。
【請求項３】
前記無線端末は、前記生成手段で生成した前記電子データを前記ベース端末に対して無線送信する無線送信手段を更に有し、
前記ベース端末は、前記送信手段により送信された前記電子データを前記公衆回線を通じて送信する送信手段を有し、
前記管理手段は、前記送信手段により前記電子データが前記ベース端末から送信されたと判断した時点で、前記情報を、前記電子データの生成完了を示す内容に更新することを特徴とする請求項１に記載の通信システム。
【請求項４】
前記管理手段は、前記指示手段により前記電子データの生成開始が指示され、前記メモリ領域をクリアした時点で、前記情報を、前記電子データの生成が完了していないことを示す内容に更新することを特徴とする請求項１、２又は３に記載の通信システム。
【請求項５】
前記ベース端末は、前記公衆回線からの着呼手段を有し、
前記割込み信号は、前記ベース端末に着呼があったことを前記無線端末に知らせるための外線着信通知であることを特徴とする請求項１乃至請求項４のいずれか１項に記載の通信システム。
【請求項６】
前記無線端末は、メッセージを表示するための表示手段を更に有し、
前記制御手段は、前記情報が前記電子データの生成完了を示していない状態で、前記指示手段により前記電子データの生成開始が指示された場合には、前記表示手段に対し、生成中の電子データが存在する旨のメッセージを表示させ、更に、前記メモリ領域をクリアせずに、前記電子データの生成を再開させるか否かの選択を受付けることを特徴とする請求項１乃至５のいずれか１項に記載の通信システム。
【請求項７】
前記通信システムは、コードレス電話システムであり、前記ベース端末は親機、前記無線端末は子機であって、前記電子データは、電子メールであることを特徴とする請求項１乃至６のいずれか１項に記載の通信システム。
【請求項８】
公衆回線に接続されたベース端末との間で無線通信を行う機能を有する通信装置であって、
メモリ領域と、
前記メモリ領域において電子データを生成する生成手段と、
前記生成手段による前記電子データの生成の開始を指示する指示手段と、
前記生成手段による前記電子データの生成が完了したか否かを示す情報を管理する管理手段と、
前記情報が前記電子データの生成完了を示している状態で、前記指示手段により前記電子データの生成開始が指示された場合には、前記メモリ領域をクリアして前記電子データの生成を開始させ、前記情報が前記電子データの生成完了を示していない状態で、前記指示手段により前記電子データの生成開始が指示された場合には、前記メモリ領域をクリアせずに、前記電子データの生成を再開させる制御手段と、
を有し、
前記制御手段は、前記情報が前記電子データの生成完了を示していない状態で、前記生成手段による前記電子データの生成中に前記ベース端末から前記無線端末に割込み信号が送信された場合には、前記情報を、前記電子データの生成が完了していないことを示す内容に維持した状態で前記生成手段による前記電子データの生成を終了させることを特徴とする通信装置。
【請求項９】
公衆回線を介してサーバに接続するベース端末との間で無線通信することができ、メモリ領域と、前記メモリ領域において電子データを生成する生成手段とを有する通信装置を制御するための制御方法であって、
前記生成手段による前記電子データの生成の開始を指示する指示工程と、
前記生成手段による前記電子データの生成が完了したか否かを示す情報を管理する管理工程と、
前記情報が前記電子データの生成完了を示している状態で、前記指示工程で前記電子データの生成開始が指示された場合には、前記メモリ領域をクリアして前記電子データの生成を開始させ、前記情報が前記電子データの生成完了を示していない状態で、前記指示工程で前記電子データの生成開始が指示された場合には、前記メモリ領域をクリアせずに、前記電子データの生成を再開させる制御工程と、
を有し、
前記制御工程では、前記情報が前記電子データの生成完了を示していない状態で、前記生成手段による前記電子データの生成中に前記ベース端末から前記無線端末に割込み信号が送信された場合には、前記情報を、前記電子データの生成が完了していないことを示す内容に維持した状態で前記生成手段による前記電子データの生成を終了させることを特徴とする通信装置の制御方法。
【請求項１０】
公衆回線を介してサーバに接続するベース端末との間で無線通信することができ、メモリ領域と、前記メモリ領域において電子データを生成する生成手段とを有する通信装置を制御するための制御プログラムであって、
前記通信装置に備えられたプロセッサに、
前記生成手段による前記電子データの生成の開始を指示する指示工程と、
前記生成手段による前記電子データの生成が完了したか否かを示す情報を管理する管理工程と、
前記情報が前記電子データの生成完了を示している状態で、前記指示工程で前記電子データの生成開始が指示された場合には、前記メモリ領域をクリアして前記電子データの生成を開始させ、前記情報が前記電子データの生成完了を示していない状態で、前記指示工程で前記電子データの生成開始が指示された場合には、前記メモリ領域をクリアせずに、前記電子データの生成を再開させる制御工程であって、前記情報が前記電子データの生成完了を示していない状態で、前記生成手段による前記電子データの生成中に前記ベース端末から前記無線端末に割込み信号が送信された場合には、前記情報を、前記電子データの生成が完了していないことを示す内容に維持した状態で前記生成手段による前記電子データの生成を終了させる制御工程と、
を実行させることを特徴とする通信装置の制御プログラム。
【請求項１１】
請求項１０に記載の制御プログラムを格納したことを特徴とするコンピュータ可読メモリ。
【発明の詳細な説明】
【０００１】
【発明の属する技術分野】
本発明は、通信システム、通信装置、その制御方法、プログラム並びにコンピュータ可読メモリに関するものである。
【０００２】
【従来の技術】
従来から、公衆回線と接続されたベース端末と、このベース端末との間で無線通信やデータ生成を行うことのできる通信装置と、を含む通信システムが知られている。
【０００３】
このような通信システムとしては、例えば、家庭向けコードレス電話システムが挙げられる。近年の家庭向けコードレス電話システムでは、コードレス電話端末子機においても電子メールの送受信／閲覧が可能である製品が存在する。
【０００４】
さらに、通信システムとしては、例えば、ファクシミリ装置が挙げられる。最近では、コードレス電話付きの家庭向けファクシミリ装置が普及し、上記のコードレス電話に置き換わってきている。このファクシミリ装置を電子メール端末に応用すると、ファクシミリ装置に備わっているプリンタ機能などのデータ出力機能や、スキャナー機能などのデータ入力機能が利用できる。これにより、電子メールのプリント出力や、電子メールの添付画像のスキャナー入力などが可能である。
【０００５】
【発明が解決しようとする課題】
しかし、従来の通信システムでは、通信装置において電子データを生成している間に割り込みが入り、生成が完了していない状態で生成の中断が起った場合に、生成を再開する手段がなかった。
【０００６】
例えば、家庭向けコードレス電話システムでは、通信装置で電子メールを作成しているときに、あらゆるタイミングで、例えば、外線着信やドアホン着信といった割り込みが入る可能性がある。これらの着信を受けた場合、電子メール作成の操作は中断されてしまう。そのため、作成中の電子メールが保存されないで、消えてしまい、電子メール作成の再開を行うことができないという問題があった。
【０００７】
本発明は、上記従来技術の課題を解決するためになされたもので、その目的とするところは、ユーザのデータ生成時の負担を軽減でき、ユーザビリティに優れた通信システム、通信装置、その制御方法、プログラム並びにコンピュータ可読メモリを提供することにある。
【０００８】
【課題を解決するための手段】
公衆回線に接続するベース端末と、該ベース端末との間で無線通信を行う無線端末とを含む通信システムであって、
前記無線端末は、
メモリ領域と、
前記メモリ領域において電子データを生成する生成手段と、
前記生成手段による前記電子データの生成の開始を指示する指示手段と、
前記生成手段による前記電子データの生成が完了したか否かを示す情報を管理する管理手段と、
前記情報が前記電子データの生成完了を示している状態で、前記指示手段により前記電子データの生成開始が指示された場合には、前記メモリ領域をクリアして前記電子データの生成を開始させ、前記情報が前記電子データの生成完了を示していない状態で、前記指示手段により前記電子データの生成開始が指示された場合には、前記メモリ領域をクリアせずに、前記電子データの生成を再開させる制御手段と、
を有することを特徴とする。
前記無線端末は、更に、前記生成手段で生成した前記電子データを前記ベース端末に対して送信する送信手段を更に有し、
前記ベース端末は、前記送信手段により送信された前記電子データを保存する保存手段を有し、
前記管理手段は、前記保存手段に前記電子データが保存されたと判断した時点で、前記情報を、前記電子データの生成完了を示す内容に更新することを特徴とする。
前記無線端末は、更に、前記生成手段で生成した前記電子データを前記ベース端末に対して無線送信する無線送信手段を更に有し、
前記ベース端末は、前記送信手段により送信された前記電子データを前記公衆回線を通じて送信する送信手段を有し、
前記管理手段は、前記送信手段により前記電子データが前記ベース端末から送信されたと判断した時点で、前記情報を、前記電子データの生成完了を示す内容に更新することを特徴とする。
前記管理手段は、前記指示手段により前記電子データの生成開始が指示され、前記メモリ領域をクリアした時点で、前記情報を、前記電子データの生成が完了していないことを示す内容に更新することを特徴とする。
前記生成手段は、前記電子データの生成中に、前記ベース端末から前記無線端末に割込み信号が送信された場合に、前記電子データの生成を終了することを特徴とする。
前記ベース端末は、前記公衆回線からの着呼手段を有し、
前記割込み信号は、前記ベース端末に着呼があったことを前記無線端末に知らせるための外線着信通知であることを特徴とする。
前記無線端末は、メッセージを表示するための表示手段を更に有し、
前記制御手段は、前記情報が前記電子データの生成完了を示していない状態で、前記指示手段により前記電子データの生成開始が指示された場合には、前記表示手段に対し、生成中の電子データが存在する旨のメッセージを表示させ、更に、前記メモリ領域をクリアせずに、前記電子データの生成を再開させるか否かの選択を受付けることを特徴とする。
前記通信システムは、コードレス電話システムであり、前記ベース端末は親機、前記無線端末は子機であって、前記電子データは、電子メールであることを特徴とする。
上記目的を達成するため、本発明に係る装置は、
公衆回線に接続されたベース端末との間で無線通信を行う機能を有する通信装置であって、
メモリ領域と、
前記メモリ領域において電子データを生成する生成手段と、
前記生成手段による前記電子データの生成の開始を指示する指示手段と、
前記生成手段による前記電子データの生成が完了したか否かを示す情報を管理する管理手段と、
前記情報が前記電子データの生成完了を示している状態で、前記指示手段により前記電子データの生成開始が指示された場合には、前記メモリ領域をクリアして前記電子データの生成を開始させ、前記情報が前記電子データの生成完了を示していない状態で、前記指示手段により前記電子データの生成開始が指示された場合には、前記メモリ領域をクリアせずに、前記電子データの生成を再開させる制御手段と、
を有することを特徴とする。
上記目的を達成するため、本発明に係る方法は、
公衆回線を介してサーバに接続するベース端末との間で無線通信することができ、メモリ領域と、前記メモリ領域において電子データを生成する生成手段とを有する通信装置を制御するための制御方法であって、
前記生成手段による前記電子データの生成の開始を指示する指示工程と、
前記生成手段による前記電子データの生成が完了したか否かを示す情報を管理する管理工程と、
前記情報が前記電子データの生成完了を示している状態で、前記指示工程で前記電子データの生成開始が指示された場合には、前記メモリ領域をクリアして前記電子データの生成を開始させ、前記情報が前記電子データの生成完了を示していない状態で、前記指示工程で前記電子データの生成開始が指示された場合には、前記メモリ領域をクリアせずに、前記電子データの生成を再開させる制御工程と、
を有することを特徴とする。
上記目的を達成するため、本発明に係るプログラムは、
公衆回線を介してサーバに接続するベース端末との間で無線通信することができ、メモリ領域と、前記メモリ領域において電子データを生成する生成手段とを有する通信装置を制御するための制御プログラムであって、
前記通信装置に備えられたプロセッサに、
前記生成手段による前記電子データの生成の開始を指示する指示工程と、
前記生成手段による前記電子データの生成が完了したか否かを示す情報を管理する管理工程と、
前記情報が前記電子データの生成完了を示している状態で、前記指示工程で前記電子データの生成開始が指示された場合には、前記メモリ領域をクリアして前記電子データの生成を開始させ、前記情報が前記電子データの生成完了を示していない状態で、前記指示工程で前記電子データの生成開始が指示された場合には、前記メモリ領域をクリアせずに、前記電子データの生成を再開させる制御工程と、
を実行させることを特徴とする。
上記目的を達成するため、本発明に係る記憶媒体は、上記の制御プログラムを格納したことを特徴とする。
【発明の実施の形態】
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【０００９】
（一実施形態）
以下、図面を参照して本発明の好適な実施の形態を詳細に説明する。
【００１０】
[全体のシステム構成]
図１は本発明の好適な実施の形態に係る通信システムの構成を示すブロック図である。
【００１１】
この通信システムは、親機と子機から構成されており、例えば、図１のようにファクシミリ装置親機１００、ファクシミリ装置子機１１０から構成されている。ファクシミリ装置親機１００は、親機表示部１０１、親機操作部１０２、ハンドセット１０３、ファクシミリ装置親機１００と公衆回線を接続する回線１３０を含む。ファクシミリ装置子機１１０は、子機表示部１１１、子機操作部１１２を含む。
【００１２】
[親機の内部構成]
図２Ａは、本発明の好適な実施の形態に係るファクシミリ装置親機１１０の内部構成を示すブロック図である。
【００１３】
ファクシミリ装置親機１００の内部構成は、システムユニット２００、子機ユニット２２０から構成されている。
【００１４】
システムユニット２００は、親機の制御、回線制御などを行うユニットであり、ＣＰＵ２０１、ＲＯＭ２０２、ＲＡＭ２０３、ハンドセットとのインタフェイス部２０４、モデム２０５、回線インタフェイス部２０６、子機ユニットとのインタフェイス部２０７、表示部２０８、操作部２０９、プリンタ部２１０、読取部２１１を含む。
【００１５】
子機ユニットは２２０は、ファクシミリ装置子機１１０と無線制御を行うユニットであり、ＣＰＵ２２１、ＲＯＭ２２２、メモリ２２３、システムユニットとのインタフェイス部２２４、子機との無線制御部２２５を含む。
【００１６】
子機ユニット２２０は、例えば、ファクシミリ装置子機１１０との通信制御、システムユニット２００からのメールデータの受信、及び電子メールデータの変換処理を行うユニットであり、ＣＰＵ２２１、ＲＯＭ２２２、メモリ２２３、システムユニットとのインタフェイス部２２４、子機との無線制御部２２５を含む。
【００１７】
子機ユニット２２０とシステムユニット２００との間の通信は、システムバス２２６を介して行われる。電子メールデータは、このシステムバス２２６を介して、子機ユニット２２０のＲＡＭに格納される。
【００１８】
[子機の内部構成]
図２Ｂは、本発明の好適な実施の形態に係るファクシミリ装置子機１１０の内部構成を示すブロック図である。
【００１９】
ファクシミリ装置子機１１０は、ファクシミリ装置親機１００の子機であり、ＣＰＵ２４１、ＲＯＭ２４２、ＲＡＭ２４３、子機ユニット２２０との通信を行う無線制御部２４４、表示部２４５、及び操作部２４６から構成されている。
【００２０】
[データの流れ]
上記構成において、システムユニット２００が電子メールの送受信・管理を行う。
【００２１】
子機で電子メールを受信するときのデータの流れを以下に示す。ＣＰＵ２０１は回線インタフェイス部２０６を通してメールサーバとの接続を行う。メールデータの送受信はモデム２０５で行われ、受信した電子メールは新規受信メールとしてＲＡＭ２０３に格納される。また、ＣＰＵ２０１は、ＲＡＭ２０３に格納された新規受信メールの情報に従って、ＲＡＭ２０３の受信メール一覧を変更する。この間、子機ユニット２２０においては、メール関連の動作は行われない。
【００２２】
[メール操作時のフローチャート]
図３Ａは、本発明の好適な実施の形態に係るメール操作を示すフローチャートである。
【００２３】
まず、ステップＳ０１で、ユーザがファクシミリ装置子機１１０上で"メール作成"のメニューを選択する。すると、ファクシミリ装置子機１１０は、ファクシミリ装置親機１００側がメールの作成を行える状態にあるか否かをチェックするために"メール作成要求"を出す。
【００２４】
ステップＳ０２で、ファクシミリ装置子機１１０から"メール作成要求"を受けたファクシミリ装置親機１００は、ファクシミリ装置子機１１０から送信された電子メールを格納するためのメモリ領域がＲＡＭ２０３上にあるか否かをチェックをする。
【００２５】
ステップＳ０３で、ファクシミリ装置子機１１０が、ファクシミリ装置子機１１０から送信された電子メールを格納するためのメモリ領域がある場合、ファクシミリ装置親機１００のステータスを子機メール作成中に変更し、メール作成が開始できることを意味する"ＯＫ"をファクシミリ装置子機１１０に返す。ファクシミリ装置子機１１０から送信された電子メールを格納するためのメモリ領域がない場合、メール作成が開始できないことを意味する不図示の"ＮＧ"を返す。
【００２６】
ステップＳ０４で、ファクシミリ装置親機１００から"ＯＫ"を受けたファクシミリ装置子機１１０は、ファクシミリ装置子機１１０のＲＡＭ２４３上にメール作成用のメモリ領域を確保する。
【００２７】
ステップＳ０５で、ファクシミリ装置子機１１０はメール作成中フラグを立てる。メール作成中フラグは、ファクシミリ装置子機１１０がメールデータの生成を完了したか否かを示す識別子であって、メール作成中フラグが立っている間は、ファクシミリ装置子機１１０で作成中のメールデータは、ファクシミリ装置子機１１０のＲＡＭ２４３が有するメモリ領域に確保される。メール作成中フラグが立っている間は、メール操作以外の動作、例えば、外線着信を受けた場合でも作成中のメールデータは、このメモリ領域に確保される。逆にメール作成中フラグが立っていなければ、ステップＳ０４のようなメール作成開始時のメモリ領域の確保処理により、メモリ領域の内容がクリアされる。
【００２８】
ステップＳ０６で、ファクシミリ装置子機１１０はメールの作成を開始する。
【００２９】
メールの作成が開始されると、ステップＳ２９でファクシミリ装置子機１１０がファクシミリ装置親機１００から"外線着信通知"を受信したか否かを判定する。ファクシミリ装置子機１１０が"外線着信通知"を受信していない場合には、ステップＳ０７に進み、メール作成作業が終了したか否かを判定する。メール作成作業が終了した場合には、図３ＢのステップＳ１３へ進む。メール作成作業が終了していない場合は、ステップＳ２９に戻る。"外線着信通知"が無く、ユーザがメールの作成作業を継続する間、ステップＳ２９及びＳ０７は繰り返される。
【００３０】
ファクシミリ装置親機１００は、ステップＳ０８において、メール作成中に外線着信があるか否かを検出し、ステップＳ０８でメール作成中に外線着信が検出された場合、ステップＳ０９に進み、ファクシミリ装置親機１００のステータスを外線着信に変更して、ファクシミリ装置子機１１０に対して"外線着信通知"を送信する。更に、ステップＳ１０に進み、ファクシミリ装置親機１００は着信表示を行う。
【００３１】
"外線着信通知"を受けたファクシミリ装置子機１１０は、ステップＳ２９からステップＳ１１に進んでメール作成作業を終了し、更に、ステップＳ１２で、着信表示を行う。この場合、ステップＳ０５で立てたメール作成中フラグは下ろさない。
【００３２】
ステップＳ０７において、メール作成中に外線着信が検出されることなく、メール作成作業が終了した場合は、図３Ｂに進み、ステップＳ１３で、ファクシミリ装置子機１１０からファクシミリ装置親機１００にメールデータを送信する。ファクシミリ装置親機１００は受信したメールデータをＲＡＭ２０３に格納する。
【００３３】
ステップＳ１４で、ファクシミリ装置子機１１０は電子メールの送信を行うか否かを判定する。電子メールを送信する場合は、ファクシミリ装置子機１１０はファクシミリ装置親機１００に"メール送信要求"を出す。電子メールを送信しない場合は、ファクシミリ装置子機１１０はファクシミリ装置親機１００に"メール保存要求"を出し、ステップＳ１７に進む。
【００３４】
ステップＳ１５で、ファクシミリ装置子機１１０から"メール送信要求"を受けたファクシミリ装置親機１００は、モデム２０５を用いて、回線インタフェイス２０６を介して、例えば、公衆回線を介して、ファクシミリ装置親機１００に接続されたサーバに電子メールを送信する。電子メールの送信が完了すると、ファクシミリ装置親機１００はファクシミリ装置子機１１０へメール送信が完了したことを示す"ＯＫ"を返す。
【００３５】
ステップＳ１６で、"ＯＫ"を受けたファクシミリ装置子機１１０は、メール作成中フラグを下ろす。ステップＳ１５でメールの送信が失敗した場合は、ファクシミリ装置親機１００は不図示のメール送信が失敗したことを示す"ＮＧ"をファクシミリ装置子機１１０に返す。この場合は、ファクシミリ装置子機１１０は、メール作成中フラグを下ろさない。
【００３６】
ステップＳ１７で、ファクシミリ装置親機１００はファクシミリ装置子機１１０から電子メールを受信し、ＲＡＭ２０３に保存する。電子メールの保存が終了すると、ファクシミリ装置親機１００はファクシミリ装置子機１１０へ、メールを保存したことを示す"ＯＫ"を返す。
【００３７】
ステップＳ１８で、"ＯＫ"を受けたファクシミリ装置子機１１０は、メール作成中フラグを下ろす。ファクシミリ装置親機１００が電子メールの保存を失敗した場合は、ファクシミリ装置親機１００はファクシミリ装置子機１１０へ、メールの保存を失敗したことを示す不図示の"ＮＧ"を返す。この場合は、メール作成中フラグは下ろさない。
【００３８】
[メール作成フラグのフローチャート]
図３Ｃは、本発明の好適な実施の形態に係るメール操作時のメール作成中フラグの動作を示すフローチャートである。
【００３９】
ステップＳ１９で、ユーザがファクシミリ装置子機１１０上で"メール"のメニューを選択する。
【００４０】
ステップＳ２０で、ファクシミリ装置子機１１０はメール作成中フラグが立っているか否かを判定する。メール作成中フラグが立っている場合はステップＳ２１へ、メール作成中フラグが立っていない場合はステップＳ２８へ進む。
【００４１】
ステップＳ２０において、メール作成中フラグが立っている場合は、ステップＳ２１で、ファクシミリ装置子機１１０は表示部１１１に作成中メールがあることを示す"作成中メール有り"を表示する。
【００４２】
ステップＳ２２で、ユーザ操作によりメール作成を再開するか否かを判定する。メール作成を再開する場合はステップＳ２３へ進み、メール作成を再開しない場合は、ステップＳ２７へ進む。
【００４３】
ステップＳ２３で、ファクシミリ装置子機１１０はメール動作を開始するための処理を行う。次に、ファクシミリ装置子機１１０から送信された電子メールを格納するためのメモリ領域がＲＡＭ２０３上にあるか否かをチェックするために、ファクシミリ装置子機１１０はファクシミリ装置親機１００に"メール作成要求"を出す。
【００４４】
ステップＳ２４で、ファクシミリ装置親機１００は、ファクシミリ装置子機１１０から送信された電子メールを格納するためのメモリ領域がＲＡＭ２０３上にあるか否かをチェックする。
【００４５】
ステップＳ２５で、ファクシミリ装置子機１１０から送信された電子メールを格納するためのメモリ領域がＲＡＭ２０３上にある場合、ファクシミリ装置親機のステータスを"子機メール作成中"に変更し、メール作成が開始できることを意味する"ＯＫ"をファクシミリ装置子機１１０に返す。ファクシミリ装置子機１１０から送信された電子メールを格納するためのメモリ領域がＲＡＭ２０３上ない場合、メールの作成が開始できないことを意味する不図示の"ＮＧ"をファクシミリ装置子機１１０に返す。
【００４６】
ステップＳ２６で、"ＯＫ"を受けたファクシミリ装置子機１１０は、メールを作成するためにＲＡＭ２４３上に確保したメモリ領域を用いてメール作成を再開する。ファクシミリ装置子機１１０が"ＮＧ"を受けた場合は、ファクシミリ装置子機１１０はメール作成を再開をすることはできず、"ＯＫ"を受けられる状態になったときに、メール作成を再開する。
【００４７】
ステップＳ２７で、ファクシミリ装置子機１１０はメール作成中フラグを下ろし、メールを作成するために確保したメモリ領域を解放する。
【００４８】
ステップＳ２８で、ファクシミリ装置子機１１０はメール動作を開始するための処理を行い、図３ＡのステップＳ０１から始まる通常通りのメール動作を行う。
【００４９】
以上のように、本実施形態によれば、子機でメールを作成している間は、子機は、メール作成中フラグを立てるため、子機から親機に電子メールが送信されるまで、電子メールを作成ためにメモリ領域を確保し続けることができる。これによって、外線着信、送信失敗などで電子メールを親機のメモリに保存することができなかった場合でも、子機のメモリに確保した電子メールのデータを用いて電子メールの作成・送信などを再開することができる。
【００５０】
また子機のメモリに電子メールを保存することで、電子メールの作成中でも外線着信、ドアホン着信などをリアルタイムに受け付けることもできる。
【００５１】
（他の実施形態）
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００５２】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００５３】
その場合、プログラムの機能を有していれば、オブジェクトコード、インタプリタにより実行されるプログラム、ＯＳに供給するスクリプトデータ等、プログラムの形態を問わない。
【００５４】
プログラムを供給するための記録媒体としては、例えば、フロッピーディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５５】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００５６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される
【発明の効果】
以上説明したように、本発明によれば、ユーザのデータ生成時の負担を軽減でき、ユーザビリティに優れた通信システム、通信装置、その制御方法、プログラム並びにコンピュータ可読メモリを提供することができる。
【図面の簡単な説明】
【図１】本発明の好適な実施の形態に係る通信システムの概略構成を示すブロック図である。
【図２Ａ】本発明の好適な実施の形態に係る通信システム親機の内部構成を示すブロック図である。
【図２Ｂ】本発明の好適な実施の形態に係る通信システム子機の内部構成を示すブロック図である。
【図３Ａ】本発明の好適な実施の形態に係るメール操作を示すフローチャートである。
【図３Ｂ】本発明の好適な実施の形態に係るメール操作を示すフローチャートである。
【図３Ｃ】本発明の好適な実施の形態に係るメール操作時のメール作成中フラグの動作を示すフローチャートである。
【図１】
0003647410.tif 000002
【図２Ａ】
0003647410.tif 000003
【図２Ｂ】
0003647410.tif 000004
【図３Ａ】
0003647410.tif 000005
【図３Ｂ】
0003647410.tif 000006
【図３Ｃ】
0003647410.tif 000007